(57)【要約】  本発明は静的温度制御回路と動的温度回路を含む電気ハンダゴテの温度急速回復方法および急速に温度回復できる電気ハンダゴテを提供する。静的温度調整量は主に温度所定信号、実時間温度検出信号および温度追加信号に基づいて決定する。動的温度調整はカルマンデジタルフィルタ原理に基づいて、差分増幅した温度制御信号に対してコテ先の熱伝導伝送関数特徴を識別し、コテ先の熱伝導関数に符合する場合だけで、出力するための追加温度の補償量を計算する。本発明は、外部の干渉騒音の影響を受けない状態でコテ先の熱負荷の変動は素早く検出、応答され、且つ電気発熱素子に対して有効に素早く制御することによって、コテ先が作動時に設定温度上に運行することが保証される。従って、接合におけるハンダの温度変動によって低温接合、接合不良になることを確実に免れ、有効に接合の速度と品質を向上することができ、同時に省電気エネルギーで、且つコテ先の寿命を延長することができる。  【選択図】  図１
2008546537.tif 000002
【特許請求の範囲】
【請求項１】
電気ハンダゴテの急速な温度回復方法であって、コテ先内に温度センサー素子と発熱芯が設置され、
コテ先内の温度センサー素子の温度に対応する相対数値の温度検出信号を生成すること、
コテ先の設定温度に基づいて温度所定信号を生成すること、
温度調整制御信号に基づいて温度追加信号を生成すること、
差分計算を行い、温度調整制御信号を生成し、その差分計算した入力信号は温度検出信
号、温度所定信号、温度追加信号を含むこと、
前記温度調整制御信号に対する積分比較増幅処理を行うこと、
積分比較増幅した温度調整制御信号に対する減衰処理を行い、且つ制御スイッチング電
源に光電結合すること、
制御スイッチング電源は結合入力した調整制御信号に基づいて対応する電力をコテ先内の発熱芯に出力することのステップを含むことを特徴とする電気ハンダゴテの急速な温度回復方法。
【請求項２】
前記温度調整制御信号に基づいて生成した温度追加信号は、温度調整
制御信号に対する微分処理を行うステップを含むことを特徴とする請求項１記載の電気ハンダゴテの急速な温度回復方法。
【請求項３】
前記温度調整制御信号に基づいて生成した追加信号は、
温度調整制御信号に対する差分増幅を行うことと、
カルマンデジタルフィルタ原理に基づいて、差分増幅の温度調整制御信号に対するコテ先の熱伝導伝送関数の特徴を識別し、
コテ先の熱伝導関数に符合する場合には、一つの接合点の出現と判断され、出力するための追加温度の補償量を計算し、
コテ先の熱伝導関数に符合していない場合には、追加温度補償の設定はゼロとなり、
コテ先の熱伝導関数は、ΔA(t)＝(A0−A1)(1−e-ｔ/τ)であり、そのΔA(t)はｔ時間にセンサーが検出した温度変動量、A0はセンサー検出した静止の平衡状態での温度、A1はコテ先が接合部分に接触する瞬間に接合点の最低温度、τはコテ先の熱伝導関数であることと、を含むステップを特徴とする請求項１記載の電気ハンダゴテの急速な温度回復方法。
【請求項４】
前記差分計算した入力信号の中の温度所定信号は、一定の時間内に接合点を検出していないと、コテ先を待機温度に保持させる待機温度信号を生成することを特徴とする請求項３記載の電気ハンダゴテの急速な温度回復方法。
【請求項５】
前記差分計算した入力信号は、ターンオフ制御信号を含み、コテ先が待機温度状態で規定の時間を超えることが検出されると、ターンオフ信号を生成することを特徴とする請求項３記載の電気ハンダゴテの急速な温度回復方法。
【請求項６】
電源ユニット、コテ先、コテ先を加熱する電熱芯８、コテ先の温度を設定する温度所定ユニット６、コテ先中に設置されているコテ先の温度を検出する温度センサー９、電源ユニットと電熱芯８を連結する制御スイッチング電源７、及びセンサー９の検出温度と温度所定ユニット６の設定温度に基づいて制御スイッチング電源７を制御する制御ユニットとを有する急速に温度回復できる電気ハンダゴテであって、
前記制御ユニットが、
追加温度指定ユニット２２、
積分比較増幅器１２、
入力端がそれぞれ積分比較増幅器１２の出力端と制御スイッチング電源７の出力端に連結し、そして、その出力端が前記制御スイッチング電源７の制御端に連結する抵抗光電結合ユニット１０、
入力端が温度センサー素子９に連結する精密抵抗増幅器１３および多路差分ユニットを有し、
多路差分ユニットの入力端はそれぞれ温度所定ユニット６、追加温度所定ユニット２２と定電流電源２５付き抵抗増幅器１３に連結し、
多路差分ユニットの出力端は前記積分比較増幅器１２の入力端に連結することを特徴とする快速温度補償できる電気ハンダゴテ。
【請求項７】
前記追加温度所定ユニットは多路差分ユニット出力端と微分ユニットに連結されていることを特徴とする請求項６記載の急速に温度回復できる電気ハンダゴテ。
【請求項８】
前記温度指定ユニットは、
カルマンデジタルフィルタ原理に基づいて、差分増幅の温度調整制御信号に対するコテ先の熱伝導伝達関数の特徴を識別し、
コテ先の熱伝導関数に符合する場合には、一つの接合点の出現と判断され、且つ出力するための追加温度の補償量を計算し、
コテ先の熱伝導関数に符合していない場合には、追加温度補償の設定はゼロとなり、
コテ先の熱伝導関数はΔA(t)＝(A0−A1)(1−e-ｔ/τ)で、そのΔA(t)はｔ時間にセンサーが検出した温度変動量、A0はセンサー検出した静止の平衡状態での温度、A1はコテ先が接合部分に接触する瞬間に接合点の最低温度、τはコテ先の熱伝導関数であって、
上記プロセスで接合点の検出及び再昇温制御回路によって追加温度を生成することを特徴とする請求項６記載の急速に温度回復できる電気ハンダゴテ。
【請求項９】
前記の接合点の検出及び再昇温制御回路は、CPUユニット１９、待機温度所定ユニット２１、差分増幅ユニット１５、パルス幅変調ユニット１７、のこぎり波生成ユニット１８を有し、
前記多路差分ユニット２４の多路入力端がそれぞれ前記の温度所定ユニット６、追加温度所定ユニット２２及び精密抵抗増幅器１３に連結され、
前記多路差分ユニットの出力端が前記積分比較増幅器１２の入力端に連結され、
前記CPUユニットの出力端がそれぞれ前記温度所定ユニット２０、待機温度所定ユニット２１及びのこぎり波生成ユニット１８に連結され、且つ制御信号を提供し、
前記パルス幅変調ユニット１７の入力端がそれぞれ差分増幅ユニット１５と前記のこぎり波生成ユニット１８に連結され、そして、その出力端CPUユニット１９に連結され、  
前記差分増幅ユニット１５の入力端が前記多路差分ユニット２４の出力端に連結されることを有する請求項８記載の急速に温度回復できる電気ハンダゴテ。
【請求項１０】
前記の制御ユニットは、作動状態指示ユニット１６およびターンオフ制御ユニット２３を有し、作動状態指示ユニット１６には前記CPUユニット１９の出力ユニットから駆動信号が提供され、ターンオフ制御ユニット２３が前記CPUユニット１９と前記多路差分ユニット２４との間に連結され、
前記作動状態指示ユニット１６が二つの異なる色の発光ダイオードであることを特徴とする請求項９記載の急速に温度回復できる電気ハンダゴテ。
【発明の詳細な説明】
【技術分野】
【０００１】
本発明は温度制御技術に関し、より詳細には、電気ハンダゴテの急速な温度回復方法および急速に温度回復できるハンダゴテに関する。
【背景技術】
【０００２】
無鉛ハンダは環境の保護を満たしているが、ハンダゴテのより良い熱安定性も求められている。一般の電気ハンダゴテは、給電回路としてよくリニアトランスが採用されている。この場合、出力電圧が一定であり、高温状態では出力不足となる。ある温度制御として絶対値の温度制御を利用するものがあるが、接合する時に温度の再上昇は遅く、低温接合、接合不良の現象は容易に発生する。電気ハンダゴテは、電気発熱素子の温度電力制御に、絶対温度による制御形態を利用している。つまり、これらの方法は発熱素子の絶対温度値をサンプルし制御するだけで、発熱素子の動作状態、加熱される物体の熱的要件、および温度に対するその効果を測定することはできない。温度が降下する場合に発熱素子の過渡的な反応は鈍く、従って温度の再上昇も遅く、加熱素子の熱伝達が急速に変化する場合はこれを用いることはできない。例えば、電気ハンダゴテは、接合させる金属に接触していないときは温度が非常に高く、いったん大型の金属物体に接触したり金属物体に長時間接触し続けると、電気ハンダゴテの温度は早い熱伝達によって急速に低下する可能性がある。特に接合させる金属が大きな表面積を有していたり環境温度が低い場合には、低温接合および接合不良の現象は容易に発生する。コテ先の変動状態や負荷を実時間精確に検出するため、短時間内に微細な温度差を検出することができる。そして、早い検出と早い制御は、素早い温度の反応を起こす。しかし検出が早いほど、その検出した信号もより弱くなる。そして、この検出は外部の干渉騒音の影響を受けないようにしなければならない。コテ先には発熱素子と温度センサー素子とが設置されており、温度検出素子からの電気信号は、コテ先の実際の温度変動とは遅延する可能性があり、発熱素子の電力を上げる時間とコテ先の実際の温度上昇とは遅延する可能性がある。より良い電気ハンダゴテを設計するために、いかなる遅延の要素、干渉の要素、応答時間の要求を考慮するのは重要なポイントである。
【発明の開示】
【発明が解決しようとする課題】
【０００３】
本発明の目的は電気ハンダゴテの急速な温度回復方法を提供することであり、電気ハンダゴテが作動する時、コテ先の温度検出点とコテ先の接合点位置の実際温度との間の熱伝導の遅延および熱伝達法則を考慮することができ、素早くコテ先の接合点位置の温度変動を検出するため、最短時間内で電気ハンダゴテの電力の補償を行い、同時に非接合点で引き起こした信号の変動を考慮する。例えば環境騒音などで電力の補償の誤作動を引き起こさないことである。
【０００４】
本発明のもう一方の目的は急速に温度回復できる電気ハンダゴテを提供することであり、コテ先の温度の微細な変動を素早く正確に検出することができ、且つ検出信号に基づいて、コテ先の電力を速やかに正確に制御し、そして外部の騒音影響を受けないことである。
【課題を解決するための手段】
【０００５】
本発明は上記の目的を解決するため、電気ハンダゴテの急速な温度回復方法を提供し、前記方法は、
コテ先に温度センサー素子と発熱芯が設置され、
コテ先内の温度センサー素子の温度に対応する相対数値の温度検出信号を生成すること、
コテ先の設定温度に基づいて温度所定信号を生成すること、
温度調整制御信号に基づいて温度追加信号を生成すること、
差分計算を行い、温度調整制御信号を生成し、その差分計算した入力信号は温度検出信
号、温度所定信号、温度追加信号を含むこと、
前記温度調整制御信号に対する積分比較増幅処理を行うこと、
積分比較増幅した温度調整制御信号に対する減衰処理を行い、且つ制御スイッチング電源
に光電結合すること、
制御スイッチング電源は結合入力した調整制御信号に基づいて対応する電力をコテ先内の発熱芯に出力することを含んでいる。
【０００６】
本発明が提供された電気ハンダゴテの急速な温度回復方法によって前記温度調整制御信号に基づいて発生した温度追加信号は、温度調整制御信号に対する微分処理を行うステップを含んでいる。
【０００７】
本発明が提供された電気ハンダゴテの急速な温度回復方法によって前記温度調整制御信号に基づいて生成した追加信号は、
温度調整制御信号に対して差分増幅を行うこと、
カルマンデジタルフィルタ原理に基づいて、差分増幅した温度調整制御信号に対するコ
テ先の熱伝導伝送関数の特徴を識別し、コテ先の熱伝導関数に符合する場合は、一つの接合点の出現と判断され、且つ出力するための追加温度の補償量を計算する。コテ先の熱伝導関数に符合していない場合は、追加温度補償の設定はゼロとなり、コテ先の熱伝導関数は、ΔA(t)＝(A0−A1)(1−e-ｔ/τ)で、そのΔA(t)はｔ時間にセンサーが検出した温度変動量、A0はセンサー検出した静止の平衡状態での温度、A1はコテ先が接合部分に接触する瞬間に接合点の最低温度、τはコテ先の熱伝導関数であることを含んでいる。
【０００８】
本発明が提供された電気ハンダゴテの急速な温度回復方法によって前記差分計算した入力信号の中の温度所定信号は、一定の時間内に接合点を検出していないと、コテ先を待機温度に保持させる待機温度信号を生成する。
【０００９】
本発明が提供された電気ハンダゴテの急速な温度回復方法によって前記差分計算した入力信号は、ターンオフ制御信号を含み、コテ先が待機温度状態で規定の時間を超えることが検出されると、ターンオフ信号を生成する。
【００１０】
本発明のもう一方の目的を実現するため、急速に温度回復できる電気ハンダゴテが提供され、電源ユニット、コテ先、コテ先を加熱する電熱芯８、コテ先の温度を設定する温度所定ユニット６、コテ先中に設置されているコテ先の温度を検出する温度センサー８、電源ユニットと電熱芯８を連結する制御スイッチング電源７およびセンサー９の検出温度と温度所定ユニット６の設定温度に基づいて制御スイッチング電源７を制御する制御ユニットを含んでいる。前記制御ユニットが、追加温度所定ユニット２２、積分比較増幅器１２、入力端がそれぞれ積分比較増幅器１２の出力端と制御スイッチング電源７の出力端に連結し、そして、その出力端が前記制御スイッチング電源７の制御端に連結する抵抗光電結合ユニット１０、入力端が温度センサー素子９に連結する精密抵抗増幅器１３および多路差分ユニットを含み、多路差分ユニットの入力端はそれぞれ温度所定ユニット６、追加温度所定ユニット２２と定電流電源２５付き抵抗増幅器１３に連結し、多路差分ユニットの出力端は前記積分比較増幅器１２の入力端に連結する。
【００１１】
本発明が提供された急速に温度回復できる電気ハンダゴテによって前記追加温度所定ユニットは多路差分ユニット出力端と微分ユニットに連結されている。
【００１２】
本発明が提供された急速に温度回復できる電気ハンダゴテによって前記温度所定ユニットは、下記プロセスで接合点の検出および再昇温制御回路によって追加温度を生成する。
【００１３】
カルマンデジタルフィルタ原理に基づいて、差分増幅の温度調整制御信号に対するコテ先の熱伝導伝達関数の特徴を識別し、コテ先の熱伝導関数に符合する場合は、一つの接合点の出現と判断され、且つ出力するための追加温度の補償量を計算する。コテ先の熱伝導関数に符合していない場合は、追加温度補償の設定はゼロとなり、コテ先の熱伝導関数はΔA(t)＝(A0−A1)(1−e-ｔ/τ)で、そのΔA(t)はｔ時間にセンサーが検出した温度変動量、A0はセンサー検出した静止平衡状態での温度、A1はコテ先が接合部分に接触する瞬間に接合点の最低温度、τはコテ先の熱伝導関数である。
【００１４】
本発明が提供された急速に温度回復できる電気ハンダゴテによって前記接合点の検出および再昇温制御回路は、CPUユニット１９、待機温度所定ユニット２１、差分増幅ユニット１５、パルス幅変調ユニット１７、のこぎり波生成ユニット１８を含み、前記多路差分ユニット２４の多路入力端がそれぞれ前記の温度所定ユニット６、追加温度所定ユニット２２及び精密抵抗増幅器１３に連結され、前記多路差分ユニットの出力端が前記積分比較増幅器１２の入力端に連結され、前記CPUユニット１９の出力端がそれぞれ前記温度所定ユニット２０、待機温度所定ユニット２１およびのこぎり波生成ユニット１８に連結され、且つ制御信号を提供し、前記パルス幅変調ユニット１７の入力端がそれぞれ差分増幅ユニット１５と前記のこぎり波生成ユニット１８に連結され、そして、その出力端CPUユニット１９に連結され、前記差分増幅ユニット１５の入力端が前記多路差分ユニット２４の出力端に連結される。
【００１５】
本発明が提供された急速に温度回復できる電気ハンダゴテによって前記制御ユニットは、作動状態指示ユニット１６およびターンオフ制御ユニット２３を含み、作動状態指示ユニット１６には前記CPUユニット１９の出力ユニットから駆動信号が提供され、ターンオフ制御ユニット２３が前記CPUユニット１９と前記多路差分ユニット２４との間に連結され、前記作動状態指示ユニット１６が二つの異なる色の発光ダイオードである。
【発明の効果】
【００１６】
本発明が提供された電気ハンダゴテの急速な温度回復方法と急速に温度回復できる電気ハンダゴテは、外部の干渉騒音の影響を受けない状態でコテ先の熱負荷の変動は素早く検出、応答され、且つ電気発熱素子に対して素早く有効に制御することによって、コテ先が作動する時に設定温度上で運行することが保証される。待機する時に設定した待機温度を保持し、また長時間待機状態を検出することによって休止状態にさせることができる。従って、接合におけるハンダの温度変動によって低温接合と接合不良になることを確実に免れ、接合の速度と品質を有効に向上することができ、同時に、省電気エネルギーで、且つコテ先の寿命を延長することができる。
【発明を実施するための最良の形態】
【００１７】
図１に示すように、本発明による電気ハンダゴテのコテ先の構造は、陶磁器発熱芯１０１、発熱芯１０１を被覆するコテ先の受熱部分１０２、受熱部分１０２と一体であって被接合物体と接触するコテ先の接合部分１０３、コテ先の接合部分１０３の内側と陶磁器発熱芯１０１との間に備える熱センサー１０４を含む。図から見ると、使用時には、陶磁器発熱芯１０１の表面温度が一番高く、受熱部分に接合されて被接合物体に接触するコテ先の接合部分１０３の温度が一番低い。そして、熱センサー１０４が検出した温度は、コテ先接合部分１０３と発熱芯１０１との間の温度である。一般的には、発熱芯１０１は発熱する時、熱エネルギーをコテ先の受熱部分１０２に伝達され、さらにコテ先の接合部分１０３にも伝達される。望ましくは、陶磁器発熱芯１０１の温度が十分安定していて、その時、コテ先の受熱部分１０２の温度変動は、コテ先の接合部分１０３と同様に小さく、熱センサー１０４はこの温度の変動を感知することができないくらいが好適である。接合時には、コテ先の接合部分１０３が被接合物体に接触すると、すぐ温度が降下する。温度差により、コテ先の受熱部分１０２はコテ先の接合部分１０３に熱エネルギーを伝達し、同様に、陶磁器の発熱芯１０１もコテ先の受熱部分１０２に熱エネルギーを伝達し、陶磁器の発熱部材１０１の温度も降下する。普通の電気ハンダゴテ又は電気溶接台は、温度センサーの感知される温度の変動が、所定の閾値を超える場合では温度が働くが、しかしこの時、コテ先の温度は既に数１０度まで降下し、最悪の場合、接合することができなくなる。実際の接合温度は設定温度との変動が大きいので、接合の効果にいろいろな不良な影響を及ぼす。コテ先が被接合物体に接触（接合点の出現とも言う）する瞬時に、コテ先が消耗した熱エネルギーを素早く正確に事前補償することができ、接合におけるコテ先の接合部分の温度の降下が小さくすみ、且つ設定温度に素早く回復させることができる。
【実施例１】
【００１８】
図２に示した本発明の、急速に温度回復できる電気ハンダゴテの実施例１では、電源ユニット(未表示)と、受熱部分と接合部分に表示されたコテ先と、コテ先の内側に設置されているコテ先を加熱する電熱芯８、及びコテ先の内側に設置されているコテ先の温度を検出する温度センサー９とを含む。更にコテ先の温度を制御するため、コテ先の所望温度を設定するための温度所定ユニット６と、電源ユニットと電熱芯８との間を連結する制御スイッチング電源７と、センサー９に検出される温度と温度指定ユニット６の設定温度とに基づいて制御スイッチング電源７を制御する制御ユニットとを含む。急速に温度を検出し補償する回路としては、この実施例の制御ユニットが、微分ユニット２２(追加温度所定ユニットに相当する)と、積分比較増幅ユニット１２と、抵抗光電結合ユニット１０と、精密抵抗増幅器１３と、多路差分ユニット２４と、を含み、抵抗光電結合ユニット１０の入力端がそれぞれ積分比較増幅ユニット１２の出力端および制御スイッチング電源７の出力端に連結し、出力端が前記制御スイッチング電源７の制御端に連結し、精密抵抗増幅器１３入力端が温度センサー素子９に連結し、多路差分ユニット２４の入力端がそれぞれ温度所定ユニット６、追加温度所定ユニットとする微分ユニット２２および定電流電源２５付き抵抗増幅器１３とに連結し、多路差分ユニット２４の出力端は前記積分比較増幅器１２の入力端に連結する。その多路差分ユニット２４は温度調整量の生成に使用され、この調整量は、下記の三つの量によって決める。定電流電源付き精密抵抗増幅器１３から提供される絶対温度と無関係の温度変動量と、温度所定ユニット６から提供される温度信号と、微分段階の追加温度所定ユニット２２から提供される調整量の変動を反映する帰還信号とである。多路差分ユニット２４の出力量は積分比較増幅器１２に伝達され、積分比較増幅した信号は抵抗光電結合ユニット１０を経由した制御スイッチングユニット７を制御し、そして、電熱芯８の電力を制御する。
【００１９】
精密抵抗増幅器１３によって検出された信号はいくつかあるので、その中の接合点変動の信号を選択するのは、適時正確に接合点を識別するのに重要なポイントである。接合点の出現は、静止のシステムにとって外乱となるので、システムの平衡を破壊する。もしこの外乱を検出することができ、且つ外乱を検出した後、すぐに反対方向の同じ大きさの外乱を印加すれば、この外乱信号が、多路差分ユニット２４の計算調整信号により追加温度所定ユニット２２による根拠となり、システムを以前の平衡状態に回復する。
【００２０】
勿論、外乱を検出した時間が早いほど、システムの平衡の破壊されることもより少なくなり、反対方向に追加温度を印加する回復時間もより短く、システムの平衡に回復されることもより早い。
【実施例２】
【００２１】
図３に示した本発明の急速に温度回復できる電気ハンダゴテの実施例２では、実施例１における制御回路の他に、接合点温度信号に対するカルマンデジタルフィルタ処理の制御回路を含んでいる。特に、追加温度を生じさせる方法であり、本実施例における追加温度所定ユニット２２は、下記の接合点検出および再昇温制御回路によって追加温度を生成する。この制御回路は、差分増幅器１５、パルス幅変調器１７、のこぎり波生成器１８、CPU１９、追加温度所定ユニット２２などから構成される。その原理は、カルマンデジタルフィルタ原理に基づいて、差分増幅の温度調整制御信号に対するコテ先の熱伝導伝送関数の特徴を識別し、コテ先の熱伝導関数に符合する場合には、一つの接合点の出現と判断され、且つ出力するための追加温度の補償量を計算する。コテ先の熱伝導関数に符合していない場合には、追加温度補償の設定はゼロとなる。ここで、コテ先の熱伝導関数はΔA(t)＝(A0−A1)(1−e-ｔ/τ)であり、そのΔA(t)はｔ時間にセンサーが検出した温度変動量、A0はセンサー検出した静止平衡状態での温度、A1はコテ先が接合部分に接触する瞬間に接合点の最低温度、τはコテ先の熱伝導関数であり、コテ先を決めれば、実験により事前に時間定数τが得られる。事前にコテ先の温度伝導の規則が得られたことによって、カルマンデジタルフィルタ処理方法によって、接合点の温度変動を検出することができる。具体には、時間定数τを確定した条件で、テーブル検索方式によって、センサーが検出された静止の平衡状態での温度A0と、コテ先の接合部分は接合点に接触した瞬間に降下された最低温度A1と、時間定数τと、を引数として、事前設定した表を検索し、得られた数値によって接合点であるかどうか判断する。例えば、接合点でなければ、テーブル検索からの出力はゼロまたは無視できる数値である。フィルタは一つの接合点が出現したら、対応する調整量を出力し、この調整量を追加温度の設定信号として多路差分ユニット２４に提供する。本発明の方法を元にし、接合点の識別および補償の具体的なプロセスについて説明する。ある時間に一つの接合点の外乱が出現されると、熱センサー９で検出された温度変動は、前記の熱伝導関数に符合すべきである。その接合点の検出と追加温度回路における多路差分ユニット２４は、積分比較増幅器を基準の電圧にしており、つまり、多路差分ユニット２４の基準の電圧は前期間の温度値に比例する。それによって、差分増幅した後、システム自身温度の干渉同様に、システム自身の温度を除去し、温度の変動値だけを増幅する。そのパルス幅変調器１７とのこぎり波生成器１８(A/D変換器に相当する)が増幅した温度変動値をCPU１９に伝達する。勿論、CPU１９に伝達された数値も各種の干渉を含む。干渉は排除され、温度変動を反映する特徴値、例えば周波数、振幅、位相角などがカルマンデジタルフィルタ原理を用いたCPU１９の処理によりピックアップされる。特徴値が熱伝導関数に符合すると、識別か補償値がテーブル検索方式によって実現できる。
【００２２】
本実施における多路差分ユニットでは、実施例１を比較すると、タ−ンオフ制御ユニット２３と待機温度所定ユニット２１を増設されている。その待機温度は。コテ先１１の準備動作中における温度を設定するのに使用され、一般的には設定温度より低い。ターンオフ制御は、待機温度における連続時間を計算するに使用され、規定の時間範囲を超えると、電気ハンダゴテのターンオフを制御する。図３に示される電源部分は、EMIフィルタブリッジ整流出力係数校正ユニット１、多路DC-DCイソレーション電源２、＋23V電圧ユニット３、＋18V定電圧ユニット、＋5V電圧ユニットおよび＋6V電圧ユニット１４を含んでいる。
【００２３】
図４と図５はそれぞれ、本発明による急速に温度回復できる電気ハンダゴテの実施例１と実施例２に関する電気回路原理概略図である。
【００２４】
本発明に提供される急速に温度回できる電気ハンダゴテは、静的温度制御回路と動的温度制御回路を含み、その静的温度調整量は主に温度所定信号、実時間温度検出信号および温度追加信号に基づいて決定する。動的温度調整はカルマンデジタルフィルタ原理に基づいて、差分増幅した温度制御信号に対するコテ先の熱伝導伝達関数特徴を識別し、コテ先の熱伝導関数に符合させる場合だけで、出力するための追加温度の補償量を計算する。以上の実施例は本発明の説明をするものであり、こりな制限されるものではない。本分野の一般技術者は、本発明によって、異なる実現形態が可能であるが、いずれも本発明の請求項に記載した保護範囲内である。
【図面の簡単な説明】
【００２５】
【図１】本発明による電気ハンダゴテ温度快速補償方法で使用される電気ハンダゴテの構造の概略図である。
【図２】本発明による快速温度補償できる電気ハンダゴテの第一実施例に関する論理図である。
【図３】本発明による快速温度補償できる電気ハンダゴテの第二実施例に関する論理図である。
【図４】本発明による快速温度補償できる電気ハンダゴテの第一実施例に関する電気回路原理概略図である。
【図５】本発明による快速温度補償できる電気ハンダゴテの第二実施例に関する電気回路原理概略図である。
【図１】
2008546537.tif 000003
【図２】
2008546537.tif 000004
【図３】
2008546537.tif 000005
【図４】
2008546537.tif 000006
【図５】
2008546537.tif 000007
【国際調査報告】
2008546537.tif 000008
2008546537.tif 000009
2008546537.tif 000010
2008546537.tif 000011
2008546537.tif 000012
2008546537.tif 000013